(57)【要約】ノード−Ｂ／基地局受信機は、信号を受信する少なくとも１つのアンテナ（２８１１〜２８ＭＮ）を備える。再構成可能なレイクフィンガのプールの各フィンガ（３２０〜３２３）は、１人のユーザのマルチパス成分をリカバーし、そのユーザの符号、マルチパス成分の符号位相、および少なくとも１つのアンテナのうちのアンテナが割り当てられる。アンテナ／レイクフィンガプールインターフェース（３０）は、レイクプールの各フィンガに対して、そのレイクフィンガに割り当てられたアンテナの出力を供給する。コンバイナは、あるユーザについてのリカバーされたマルチパス成分を合成し、そのユーザのデータを生成する。
2005522926.tif 000002
【特許請求の範囲】
【請求項１】
ユーザからの信号を受信する少なくとも１つのアンテナと、
再構成可能なレイクフィンガのプールであって、各フィンガは、ユーザのマルチパス成分をリカバーし、各レイクフィンガには、前記ユーザの符号、前記マルチパス成分の符号位相、および前記少なくとも１つのアンテナのうちのアンテナが割り当てられるプールと、
前記レイクプールの各フィンガに、そのレイクフィンガに割り当てられた前記アンテナの出力を提供するアンテナ／レイクフィンガプールインターフェースと、
１人のユーザについてのリカバーされたマルチパス成分を合成して前記ユーザのデータを生成するコンバイナと
を備えることを特徴とするノード−Ｂ／基地局受信機。
【請求項２】
前記リカバーされたマルチパス成分を前記コンバイナへの入力の前に位相合わせする際に使用されるバッファをさらに備えることを特徴とする請求項１に記載のノード−Ｂ／基地局受信機。
【請求項３】
位相合わせを行わずに前記プールの前記フィンガの出力の合成が行われるように、前記プールへの入力の前に前記アンテナ／レイクフィンガプールインターフェースの出力を位相合わせする際に使用されるバッファをさらに備えることを特徴とする請求項１に記載のノード−Ｂ／基地局受信機。
【請求項４】
前記少なくとも１つのアンテナは複数のアンテナであることを特徴とする請求項１に記載のノード−Ｂ／基地局受信機。
【請求項５】
前記受信機は複数のセクタにサービスし、各セクタは複数のアンテナを有することを特徴とする請求項１に記載のノード−Ｂ／基地局受信機。
【請求項６】
前記受信機は複数のセクタにサービスし、ユーザが前記複数のセクタのうち２つのセクタ間を移行し、前記コンバイナは、前記複数のセクタからの前記ユーザのマルチパス成分を合成することを特徴とする請求項１に記載のノード−Ｂ／基地局受信機。
【請求項７】
前記受信機は、チップレートより高いレートでクロック制御され、各レイクフィンガは、１チップ期間に複数のマルチパス成分を処理することを特徴とする請求項１に記載のノード−Ｂ／基地局受信機。
【請求項８】
各ユーザに割り振られるレイクフィンガの数が異なることを特徴とする請求項１に記載のノード−Ｂ／基地局受信機。
【請求項９】
ユーザに割り振られるレイクフィンガの数は、サービス品質の要求に基づくことを特徴とする請求項８に記載のノード−Ｂ／基地局受信機。
【請求項１０】
前記レイクフィンガのプールは、単一の特定用途向け集積回路（ＡＳＩＣ）にあることを特徴とする請求項１に記載のノード−Ｂ／基地局受信機。
【請求項１１】
前記ノード−Ｂ／基地局受信機のセルのローディングが増大するのに従って、追加的なＡＳＩＣが追加され、各追加的なＡＳＩＣは、レイクフィンガのプールを備えることを特徴とする請求項１０に記載のノード−Ｂ／基地局受信機。
【請求項１２】
前記受信機は複数のセクタにサービスし、各ＡＳＩＣに１つのセクタが割り当てられることを特徴とする請求項１１に記載のノード−Ｂ／基地局受信機。
【請求項１３】
よりソフトなハンドオーバが行われるユーザのために、複数のＡＳＩＣからのユーザのマルチパス成分を合成する別のコンバイナをさらに備えることを特徴とする請求項１２に記載のノード−Ｂ／基地局受信機。
【請求項１４】
前記受信機は複数のセクタにサービスし、前記ノード−Ｂ／基地局のセル内の各ユーザは、前記複数のＡＳＩＣの１つのＡＳＩＣに割り当てられることを特徴とする請求項１１に記載のノード−Ｂ／基地局受信機。
【請求項１５】
ユーザは、複数のセクタのうち２つのセクタ間を移行し、前記ユーザに割り当てられたＡＳＩＣのコンバイナは、前記複数のセクタからの前記ユーザのマルチパス成分を合成し、前記ユーザに割り当てられたＡＳＩＣのみの前記レイクフィンガが、そのユーザのマルチパス成分を処理することを特徴とする請求項１３に記載のノード−Ｂ／基地局受信機。
【請求項１６】
ユーザからの信号を受信する少なくとも１つのアンテナと、
再構成可能なレイクフィンガのプールであって、各フィンガはユーザのマルチパス成分をリカバーし、前記レイクフィンガには、前記ユーザの符号、前記マルチパス成分の符号位相、および前記少なくとも１つのアンテナのうちのアンテナが割り当てられるプールと、
前記レイクプールの各フィンガをそのレイクフィンガに割り当てられたアンテナの出力に有効に結合するアンテナ／レイクフィンガプールインターフェースであって、前記有効な結合を変更することが可能なインターフェースと、
前記アンテナ出力への各フィンガの前記有効な結合を制御するソフトウェアと、
１人のユーザについての前記リカバーされたマルチパス成分を合成して前記ユーザのデータを生成するコンバイナと
を備えることを特徴とするノード−Ｂ／基地局。
【請求項１７】
ユーザからの信号を受信する少なくとも１つのアンテナと、
再構成可能なレイクフィンガのプールを有する少なくとも１つの特定用途向け集積回路であって、各フィンガは、１人のユーザのマルチパス成分をリカバーし、前記レイクフィンガには、前記ユーザの符号、前記マルチパス成分の符号位相、および前記少なくとも１つのアンテナのうちのアンテナが割り当てられる特定用途向け集積回路と、
前記レイクプールの各フィンガを、そのレイクフィンガに割り当てられたアンテナの出力に有効に結合するアンテナ／レイクフィンガプールインターフェースと、
前記ノード−Ｂ／基地局で追加的なＡＳＩＣが追加されると前記有効な結合を再構成するソフトウェアであって、各追加的ＡＳＩＣは、レイクフィンガのプールを有するソフトウェアと、
１人のユーザのリカバーされたマルチパス成分を合成して前記ユーザのデータを生成するコンバイナと
を備えることを特徴とするスケーラブルなノード−Ｂ／基地局。
【請求項１８】
前記ＮｏｄｅＢ／基地局は、複数のセクタを扱い、各ＡＳＩＣの前記レイクフィンガには、前記セクタのうち任意のセクタからのマルチパス成分が割り当てられることが可能であることを特徴とする請求項１７に記載のスケーラブルなノード−Ｂ／基地局。
【請求項１９】
前記受信機は複数のセクタにサービスし、前記スケーラブルなノード−Ｂ／基地局のセル内の各ユーザは、前記ＡＳＩＣのうち単一のＡＳＩＣに割り当てられることを特徴とする請求項１７に記載のスケーラブルなノード−Ｂ／基地局。
【請求項２０】
ユーザは、複数のセクタのうち２つのセクタ間を移行し、前記ユーザに割り当てられたＡＳＩＣのコンバイナは、前記複数のセクタからの前記ユーザのマルチパス成分を合成し、前記ユーザに割り当てられたＡＳＩＣのみの前記レイクフィンガが、そのユーザのマルチパス成分を処理することを特徴とする請求項１９に記載のスケーラブルなノード−Ｂ／基地局受信機。
【請求項２１】
基地局の処理能力を増大する方法であって、
再構成可能なレイクフィンガのプールを有する第１の特定用途向け集積回路（ＡＳＩＣ）を提供するステップであって、各フィンガは、１人のユーザのマルチパス成分をリカバーし、前記レイクフィンガには、前記ユーザの符号、前記マルチパス成分の符号位相、および前記少なくとも１つのアンテナのうちのアンテナが割り当てられるステップと、
前記基地局のローディングが増大するのに従って、レイクフィンガのプールを有する追加的なＡＳＩＣを追加するステップと、
前記追加的なＡＳＩＣが追加されると、ソフトウェアにより前記第１のＡＳＩＣを再構成するステップと
を備えることを特徴とする方法。
【請求項２２】
前記第１のＡＳＩＣおよび追加的ＡＳＩＣは、複数のセクタを扱い、前記第１のＡＳＩＣおよび追加的ＡＳＩＣそれぞれの前記レイクフィンガには、前記セクタのうち任意のセクタからのマルチパス成分が割り当てられることが可能であることを特徴とする請求項２１に記載の方法。
【請求項２３】
前記基地局は複数のセクタにサービスし、前記基地局のセル内の各ユーザは、前記第１のＡＳＩＣおよび追加的ＡＳＩＣのうち単一のＡＳＩＣに割り当てられることを特徴とする請求項２１に記載の方法。
【発明の詳細な説明】
【技術分野】
【０００１】
本発明は、一般には、ワイヤレス式符号分割多元接続通信システムに関する。詳細には、本発明は、そのようなシステムにおけるユーザ信号の受信に関する。
【背景技術】
【０００２】
図１は、簡略化したワイヤレス式符号分割多元接続通信システムを示す図である。各基地局２０１〜２０４（２０）は、その基地局のセル(cell)２４１〜２４２内のユーザ機器（ＵＥ:user equipment）２２１〜２２２１（２２）と通信する。図１に示すように、基地局２０１は、基地局２０１のセル２４1内のＵＥ２２１〜２２９と通信する。
【０００３】
各セル２４は、図１に示すように６つのセクタ２６など、セクタ２６１〜２６６（２６）に分割することもできる。通例、基地局２０は、そのセクタ２６に割り当てられた１つまたは複数のアンテナを使用して各セクタ２６と通信する。セクタ２６の各ＵＥ２２は、そのセクタのアンテナと通信する。
【０００４】
セル２４およびセクタ２６内におけるＵＥの分散(distribution)、ならびにセルおよびセクタのローディング(loading)は、様々に異なる場合がある。図２Ａ、図２Ｂ、および図２Ｃには、セルおよびセクタにおけるローディングの様々な形態を示す。図２Ａは、分散が均一(even distribution)で、ローディングが軽い３つのセクタを有するセル(lightly loaded three sector cell)を示す。各セクタ２６のＵＥ２２は、比較的一様(even)である。図２Ｂは、ＵＥの分布(UE distribution)が不均一(uneven)で、ローディングが軽いセル２４を示す。あるセクタ２６３にはユーザ（ＵＥ）がなく、あるセクタ２６２には多数のユーザがある。図２Ｃは、分布が不均一(uneven distribution)で、ローディングが重いセル(heavily loaded cell)２４である。あるセクタ２６３にはユーザが少なく、他のセクタ２６１および２６２には多数のユーザがある。基地局／ノード−Ｂ受信機(base station/Node-B receiver)は、好ましくはこうした各種のローディングすべてに適応(accommodate)する必要がある。
【０００５】
さらに、ＵＥ２２は、図３に示すようにセクタ２６２からセクタ２６１へなど、セクタ２６間を移動(move)する場合がある。２つのセクタ２６１と２６２の間でＵＥ２２の受け渡し(handing)を伝達(transfer)する１アプローチは、よりソフトなハンドオーバ(softer hadover)である。よりソフトなハンドオーバでは、移行期間(transition period)中、ＵＥ２２は、両方のセクタ２６１および２６２のアンテナと同時に通信する。よりソフトなハンドオーバ中の信号品質(signal quality)を向上させるために、ノード−Ｂ／基地局受信機が、それぞれのセクタ２６により受信される通信の合成(the combining of the communication)に適応(accommodate)することが望ましい。
【発明の開示】
【発明が解決しようとする課題】
【０００６】
したがって、こうした変化する条件(condition)に対処(handle)することが可能なノード−Ｂ／基地局受信機を提供ことが望ましい。
【課題を解決するための手段】
【０００７】
ノード−Ｂ／基地局受信機は、信号を受信する少なくとも１つのアンテナを備える。再構成可能(reconfigurable)なレイクフィンガ(Rake fingers)におけるプール(pool)の各フィンガは、あるユーザ(a user)のマルチパス成分(multipath component)をリカバー(recover)し、さらに、各フィンガにはそのユーザの符号(code)、マルチパス成分の符号位相(code phase)、および少なくとも１つのアンテナのうちのアンテナが割り当てられる。アンテナ／レイクフィンガプールインターフェース(antenna/Rake finger pool interface)は、レイクプールの各フィンガ(each finger of the Rake pool)に対して、そのレイクフィンガに割り当てられたアンテナの出力を供給する。コンバイナ(combiner)は、あるユーザについてリカバーされたマルチパス成分(recovered multipath components)を合成(combine)して、そのユーザのデータを生成(produce)する。
【発明を実施するための最良の形態】
【０００８】
図４は、セル２４の好ましい基地局／ノード−Ｂ受信機の簡略ブロック図である。セル２４は、Ｍ個のセクタ２６１〜２６ｍ（２６）に分割される。Ｍは任意の値であってよいが、好ましいＭの値は、６、３、および１である。各セクタ２６は、そのセクタ２６内でユーザ通信を受信するＮ個のアンテナ２８１１〜２８１Ｎから２８Ｍ１〜２８ＭＮ（２８）を有する。Ｎは任意の数であってよく、セクタごとに数が異なってよいが、好ましいＮの値は、１、２、および４である。
【０００９】
すべてのセクタ２６のアンテナ２８は、アンテナ／レイクフィンガプールインターフェース(antennas/Rake finger pool interface)３０に接続される。インターフェース３０は、アンテナ出力を、レイクフィンガプールのレイクフィンガプロセッサ（フィンガ）３２１〜３２Ｏ（３２）に接続する。各レイクフィンガ３２には、リカバーすべき、特定のユーザによって受信されたマルチパス成分が割り当てられる。その成分をリカバーするために、各レイクフィンガ３２には、その受信成分に関連付けられたアンテナ２８、符号、および符号位相(code phase)が割り当てられる。ＵＥ２２が存在するセクタ２６のアンテナ２８は、アンテナ／レイクフィンガプールインターフェース３０を介してレイクフィンガ３２に接続される。ＵＥ２２によって使用される符号と、求められるマルチパス成分の符号位相が、レイクフィンガ３２に供給される。レイクフィンガ３２は、マルチパス成分をリカバーし、そのユーザの他のマルチパス成分と合成する前に、その成分を重み付け(weiht)する。
【００１０】
図５は好ましいレイクフィンガ４６を示す図であるが、他のレイクフィンガを使用することも可能である。フィンガ４６は、そのフィンガのアンテナ２８から受信信号のサンプルを受け取る。パストラッカ(path tracker)４０は、フィンガ４６をその符号位相(code phase)と位置合わせ(align)する。デスプレッダ／デスクランブラ(despreader/descrambler)３８は、対応するユーザ符号(corresponding user code)を用いて受信サンプル(received sample)を逆拡散(despread)およびスクランブル解除(descramble)して、ユーザデータに対するそのマルチパス成分の寄与(contribution)をリカバーする。パストラッカ４０はまた、パスを追跡(track)し、例えば補間(interpolation)によってサンプリングエラー(sampling error)を訂正(correct)することにより、その結果、デスプレッダ／デスクランブラ３８の入力は常に適正にサンプリングされているように見える。複合重み付けデバイス(complex weighting device)４２によってその寄与(contribution)が重み付け(weight)され、複数成分の合成(combining on multiple components)を最適化(optimize)する。この重み付け(the weighting)は最大比合成（ＭＲＣ:maximal ratio combinig）によって行うことが好ましいが、他の重み付けアルゴリズムを使用してもよい。信号対雑音比（ＳＮＲ:signal to noise ratio）エスティメータ(estimator)４４は、重み付けアルゴリズム(weighting algorithm)および合成アルゴリズム(combining algorithm)で使用されるマルチパス成分のＳＮＲを推定(estimate)する。重み係数（ｗ:weighting factor）を計算する計算メカニズムは、レイクフィンガ４６に対してローカルであることが好ましい。この実施形態では、パス重み生成器(path weight generator)４３が提供される。このパス重み生成器は、通例、逆拡散された信号のデータ成分に基づいて動作する。ただし、判定帰還(decision feedback)を使用して、レイクフィンガ４６が、逆拡散された信号のデータ成分に基づいて動作するようにしてもよいことは重要である。
【００１１】
再び、図４を参照する。各フィンガ３２は、他のフィンガと分離(isolation)して動作することが好ましく、割り当てられたアンテナ(assigned antenna)２８、符号(code)、および符号位相(code phase)を、他のアンテナ２８、符号、および符号位相に合わせて再構成(reconfigure)させることができる。この分離(isolation)と再構成(reconfigurability)が可能であることにより、変化する環境(environment)に対してレイクフィンガプール(Rake finger pool)を汎用的に利用(versatile utilization)することが可能になる。また、この分離と再構成性により、小規模なスケーラブル設計を用いてフィンガ３２を実施することが容易になり、このことは特定用途向け集積回路（ＡＳＩＣ:application specific integrated circuit）で使用するのに非常に有利である。チップレート(chip rate)を上回るクロックレートを有するＡＳＩＣの場合は、再構成可能な各レイクフィンガ３２を使用して複数の成分を処理することができる。例えば、チップレートの１６倍のクロックの場合は、１チップ期間(a chip period)に同一の再構成可能なレイクフィンガによって、１６のマルチパス成分を処理することができる。
【００１２】
レイクフィンガ３２の出力は様々に異なる符号位相遅延(code phase delay)を有しているので、同期バッファ(synchronization buffer)３４を使用して合成の前にレイクフィンガの出力を同期させる。同期バッファリングは、共通メモリ(common memory)を使用して行うことが好ましい。他の実施形態では、図６に示すように、このバッファリングは、レイクフィンガプールにサンプルを入力する前に行うことができ、各レイクフィンガ３２の出力は合成の前に同期される。
【００１３】
各レイクフィンガの出力が同期された後、コンバイナ３６によって各ＵＥのマルチパス成分が合成され、このことにより、そのユーザのソフトシンボル(soft symbol)が生成される（ユーザ１データからユーザＰデータ）。図７は、セクタＫ２６Ｋにいるユーザについての合成(combining)処理を示す。セクタＫ２６ＫにおけるＮ個のアンテナ２８Ｋ１〜２８ＫＮそれぞれにつき、Ｌ個のマルチパス成分（マルチパス成分Ｋ１１〜Ｋ１ＬからＫＮ１〜ＫＮＬ）が合成されるが、各アンテナ２８について合成されるマルチパス成分の数は異なってよい。ＮｘＬ個の成分が加算器(summer)４６などのコンバイナによって合成され、ユーザデータが生成される。
【００１４】
図８は、セクタＪ２６ＪとセクタＫ２６Ｋの間でよりソフトなハンドオーバによって受け渡されるユーザについての合成を示す。よりソフトなハンドオーバでは、ユーザは２つのセクタ２６の間を移行する。その移行中、ユーザは両方のセクタ２６と通信する。セクタＪおよびＫのＮ個のアンテナ２８Ｋ１〜２８ＫＮと２８Ｊ１〜２８ＪＮそれぞれにつき、Ｌ個のマルチパス成分がコンバイナ４８によって合成され、ユーザデータが生成される。
【００１５】
ノード−Ｂ／基地局受信機の構成は、動的なセルのローディング(dynamic cell loading)と、ユーザの分散(user distribution)を可能にする。レイクフィンガ３２が再構成可能であることにより、必要な箇所にフィンガ３２を割り当てることができる。セクタにユーザが均一に分散されたセルでは、各セクタ２６にレイクフィンガ３２を均一に割り当てることができる。他のセクタに比べてローディングが高いセクタを有するセルについては、ローディングが重いセクタに対してより多くのフィンガを割り当てることができる。また、他のユーザよりも高いサービス品質（ＱＯＳ:quality of service）を求めるユーザには、要求に応じて(on demand)より多くのレイクフィンガ３２を割り当てることもできる。
【００１６】
図９Ａ、図９Ｂ、および９図Ｃは、さらに、ノード−Ｂ／基地局受信機の拡張性(scalability)と柔軟性(flexibility)を表す。図９Ａに示すように、最初、ローディングが軽い、セクタに分割されていないセル２４は、単一のＡＳＩＣ５２１のみによって扱われている。図９Ｂのようにセルのローディングが増大すると、セル２４は、３つのセクタ２６１、２６２、２６３に分割される。レイクフィンガ３２の柔軟な再構成性により、セクタに分割された後のセルに同一のＡＳＩＣ５２１を利用することができる。アンテナ／レイクプールインターフェース３０のソフトウェア５０などによる変更により、異なるセクタのユーザにレイクフィンガ３２が割り当てられる。図９Ｃに示すようにセルのローディングが増大すると、追加的なＡＳＩＣ５２２を追加して、利用可能なレイクフィンガ３２の全体数を増すことができる。ＡＳＩＣ５２２の追加により、ノード−Ｂ／基地局受信機の拡張性が可能になる。
【００１７】
複数のＡＳＩＣ５２を有する受信機の場合は、処理のために各ユーザが特定のＡＳＩＣ５２に割り当てられ、よりソフトなハンドオーバのために複数のセクタにわたる合成を容易にすることが好ましい。レイクフィンガ３２はセクタ２６には割り当てられないことが好ましいので、複数セクタ２６からのユーザの受信成分の合成は容易に達成される。このように複数のセクタ成分を合成できることにより、図８に示すようによりソフトなハンドオーバが容易になる。あるいは、ＡＳＩＣ５２を各セクタ２６に割り当ててもよい。しかし、あるセクタ２６のみに割り当てられたＡＳＩＣ５２によりソフトなハンドオーバが使用される場合は、よりソフトなハンドオーバが行われるＵＥの成分を合成するためのインターフェースが利用される。
【図面の簡単な説明】
【００１８】
【図１】簡略化したワイヤレス符号分割多元接続通信システムを示す図である。
【図２Ａ】各種のセクタ／セルにおけるローディングを示す図である。
【図２Ｂ】各種のセクタ／セルにおけるローディングを示す図である。
【図２Ｃ】各種のセクタ／セルにおけるローディングを示す図である。
【図３】よりソフトなハンドオーバについての説明図である。
【図４】好ましいノード−Ｂ／基地局受信機を示す簡略ブロック図である。
【図５】好ましいレイクフィンガを示す図である。
【図６】他の好ましいノード−Ｂ／基地局受信機を示す簡略ブロック図である。
【図７】あるユーザのマルチパス成分合成を示す図である。
【図８】よりソフトなハンドオーバを体験するユーザのマルチパス成分の合成を示す図である。
【図９Ａ】ノード−Ｂ／基地局受信機の拡張性と柔軟性を示す図である。
【図９Ｂ】ノード−Ｂ／基地局受信機の拡張性と柔軟性を示す図である。
【図９Ｃ】ノード−Ｂ／基地局受信機の拡張性と柔軟性を示す図である。
【図１】
2005522926.tif 000003
【図２Ａ】
2005522926.tif 000004
【図２Ｂ】
2005522926.tif 000005
【図２Ｃ】
2005522926.tif 000006
【図３】
2005522926.tif 000007
【図４】
2005522926.tif 000008
【図５】
2005522926.tif 000009
【図６】
2005522926.tif 000010
【図７】
2005522926.tif 000011
【図８】
2005522926.tif 000012
【図９Ａ】
2005522926.tif 000013
【図９Ｂ】
2005522926.tif 000014
【図９Ｃ】
2005522926.tif 000015
【手続補正書】
【提出日】平成17年1月11日(2005.1.11)
【手続補正１】
【補正対象書類名】特許請求の範囲
【補正対象項目名】全文
【補正方法】変更
【補正の内容】
【特許請求の範囲】
【請求項１】
ユーザからの信号を受信する少なくとも１つのアンテナと、
再構成可能なレイクフィンガのプールであって、各フィンガはユーザのマルチパス成分をリカバーし、各レイクフィンガには前記ユーザの符号、前記マルチパス成分の符号位相、および前記少なくとも１つのアンテナのアンテナが割り当てられている、プールと、
前記レイクプールの各フィンガに対して、そのレイクフィンガに割り当てられた前記アンテナの出力を供給するアンテナ／レイクフィンガプールインターフェースと、
ユーザについてリカバーされたマルチパス成分を合成して前記ユーザのデータを生成するコンバイナと
を備え、
前記レイクフィンガのプールは、単一の特定用途向け集積回路（ＡＳＩＣ）上にあり、ノード−Ｂ／基地局受信機におけるセルのローディングが増大するときには追加的なＡＳＩＣが追加され、各追加的なＡＳＩＣはレイクフィンガのプールを備え、前記セルのローディングが増大すると前記単一のＡＳＩＣおよび前記追加的なＡＳＩＣをソフトウェアが再構成する、ことを特徴とするノード−Ｂ／基地局受信機。
【請求項２】
前記リカバーされたマルチパス成分を前記コンバイナへ入力する前に位相合わせするために使用するバッファをさらに備える、ことを特徴とする請求項１に記載のノード−Ｂ／基地局受信機。
【請求項３】
位相合わせを行わずに前記プールの前記フィンガの出力の合成が行われるように、前記プールへの入力の前に前記アンテナ／レイクフィンガプールインターフェースの出力を位相合わせするため使用するバッファをさらに備える、ことを特徴とする請求項１に記載のノード−Ｂ／基地局受信機。
【請求項４】
前記少なくとも１つのアンテナは複数のアンテナである、ことを特徴とする請求項１に記載のノード−Ｂ／基地局受信機。
【請求項５】
前記受信機は複数のセクタにサービスし、各セクタは複数のアンテナを有する、ことを特徴とする請求項１に記載のノード−Ｂ／基地局受信機。
【請求項６】
前記受信機は複数のセクタにサービスし、ユーザが前記複数のセクタのうち２つのセクタ間を移行し、前記コンバイナは、前記複数のセクタからの前記ユーザのマルチパス成分を合成する、ことを特徴とする請求項１に記載のノード−Ｂ／基地局受信機。
【請求項７】
前記受信機は、チップレートより高いレートでクロック制御され、各レイクフィンガは、１チップ期間中に複数のマルチパス成分を処理する、ことを特徴とする請求項１に記載のノード−Ｂ／基地局受信機。
【請求項８】
各ユーザに割り振られるレイクフィンガの数が異なる、ことを特徴とする請求項１に記載のノード−Ｂ／基地局受信機。
【請求項９】
ユーザに割り振られるレイクフィンガの数は、サービス品質の要求に基づく、ことを特徴とする請求項８に記載のノード−Ｂ／基地局受信機。
【請求項１０】
前記受信機は複数のセクタにサービスし、各ＡＳＩＣに１つのセクタが割り当てられる、ことを特徴とする請求項１に記載のノード−Ｂ／基地局受信機。
【請求項１１】
ユーザがよりソフトなハンドオーバを経験するために、複数のＡＳＩＣからのユーザのマルチパス成分を合成する別のコンバイナをさらに備える、ことを特徴とする請求項１０に記載のノード−Ｂ／基地局受信機。
【請求項１２】
前記受信機は複数のセクタにサービスし、前記ノード−Ｂ／基地局におけるセル内の各ユーザは、前記複数のＡＳＩＣの１つのＡＳＩＣに割り当てられる、ことを特徴とする請求項１に記載のノード−Ｂ／基地局受信機。
【請求項１３】
ユーザは複数のセクタのうち２つのセクタ間を移行し、前記ユーザに割り当てられたＡＳＩＣのコンバイナは、前記複数のセクタからの前記ユーザのマルチパス成分を合成し、前記ユーザに割り当てられたＡＳＩＣのみの前記レイクフィンガがそのユーザのマルチパス成分を処理する、ことを特徴とする請求項１１に記載のノード−Ｂ／基地局受信機。
【請求項１４】
ユーザからの信号を受信する少なくとも１つのアンテナと、
特定用途向け集積回路（ＡＳＩＣ）と、
前記アンテナへの各フィンガの前記有効な結合を制御するソフトウェアと、
を具備したノード−Ｂ／基地局であって、
前記特定用途向け集積回路（ＡＳＩＣ）は、
再構成可能なレイクフィンガのプールであって、各フィンガはユーザのマルチパス成分をリカバーし、各レイクフィンガには前記ユーザの符号、前記マルチパス成分の符号位相、および前記少なくとも１つのアンテナのアンテナが割り当てられている、プールと、
前記レイクプールの各フィンガを、そのレイクフィンガに割り当てられた前記アンテナの出力に有効に結合し、前記有効な結合を変更することができるアンテナ／レイクフィンガプールインターフェースと、
ユーザについてリカバーされたマルチパス成分を合成して前記ユーザのデータを生成するコンバイナとを備え、
前記ソフトウェアは、前記ノード−Ｂ／基地局で追加的なＡＳＩＣが追加されるときには前記有効な結合を再構成し、各追加的なＡＳＩＣは、レイクフィンガのプールを有する、
ことを特徴とするノード−Ｂ／基地局。
【請求項１５】
ユーザからの信号を受信する少なくとも１つのアンテナと、
再構成可能なレイクフィンガのプールを有する少なくとも１つの特定用途向け集積回路であって、各フィンガはあるユーザのマルチパス成分をリカバーし、前記レイクフィンガには前記ユーザの符号、前記マルチパス成分の符号位相、および前記少なくとも１つのアンテナのうちのアンテナが割り当てらている、特定用途向け集積回路と、
前記レイクプールの各フィンガを、そのレイクフィンガに割り当てられたアンテナの出力に有効に結合するアンテナ／レイクフィンガプールインターフェースと、
前記ノード−Ｂ／基地局で追加的なＡＳＩＣが追加されるときには前記有効な結合を再構成するソフトウェアであって、各追加的なＡＳＩＣは、レイクフィンガのプールを有するソフトウェアと、
あるユーザのリカバーされたマルチパス成分を合成して前記ユーザのデータを生成するコンバイナと、
を具備したことを特徴とするスケーラブルなノード−Ｂ／基地局。
【請求項１６】
前記ノード−Ｂ／基地局は複数のセクタを扱い、各ＡＳＩＣの前記レイクフィンガは、前記セクタのうち任意のセクタからのマルチパス成分を割り当てることできる、ことを特徴とする請求項１５に記載のスケーラブルなノード−Ｂ／基地局。
【請求項１７】
前記受信機は複数のセクタにサービスし、前記スケーラブルなノード−Ｂ／基地局のセル内の各ユーザは、前記ＡＳＩＣのうち単一のＡＳＩＣに割り当てられる、ことを特徴とする請求項１５に記載のスケーラブルなノード−Ｂ／基地局。
【請求項１８】
ユーザは、複数のセクタのうち２つのセクタ間を移行し、前記ユーザに割り当てられたＡＳＩＣのコンバイナは、前記複数のセクタからの前記ユーザのマルチパス成分を合成し、前記ユーザに割り当てられたＡＳＩＣのみの前記レイクフィンガが、そのユーザのマルチパス成分を処理する、ことを特徴とする請求項１７に記載のスケーラブルなノード−Ｂ／基地局受信機。
【請求項１９】
基地局の処理能力を増大する方法であって、
再構成可能なレイクフィンガのプールを有する第１の特定用途向け集積回路（ＡＳＩＣ）を供給するステップであって、各フィンガはあるユーザのマルチパス成分をリカバーし、前記レイクフィンガには、前記ユーザの符号、前記マルチパス成分の符号位相、および前記少なくとも１つのアンテナのうちのアンテナが割り当てられているステップと、
前記基地局のローディングが増大するのに従って、レイクフィンガのプールを有する追加的なＡＳＩＣを追加するステップと、
前記追加的なＡＳＩＣが追加されたときには、ソフトウェアにより前記第１のＡＳＩＣを再構成するステップと、
を具備したことを特徴とする方法。
【請求項２０】
前記第１のＡＳＩＣおよび前記追加的なＡＳＩＣは複数のセクタを扱い、前記第１のＡＳＩＣおよび前記追加的なＡＳＩＣそれぞれの前記レイクフィンガには、前記セクタのうち任意のセクタからのマルチパス成分が割り当てられる、ことを特徴とする請求項１９に記載の方法。
【請求項２１】
前記基地局は複数のセクタにサービスし、前記基地局におけるセル内の各ユーザは、前記第１のＡＳＩＣおよび前記追加的なＡＳＩＣのうち単一のＡＳＩＣに割り当てられる、ことを特徴とする請求項１９に記載の方法。
【国際調査報告】
2005522926.tif 000016